(57)【要約】【課題】スイッチ操作を行うことなく非接触で、所望の照明を制御できる車室内照明装置を提供する。【解決手段】赤外線カメラ１０で運転者６０の顔を撮像し、運転者６０の注視する方向を判別する。そして、判別した運転者６０の注視する方向が、照明装置群（照明装置４０ａ〜照明装置４０ｄ）の少なくとも１つの照明装置の照明範囲である場合、該当する照明装置を点灯する。各照明装置が指向性を有する場合、運転者６０の注視する方向に応じて照明の照射角度を制御して点灯する。【選択図】図２
2008081053.tif 000002
【特許請求の範囲】
【請求項１】
車両に設けられ、運転者の顔を含む空間を撮像する撮像手段と、
前記撮像手段により撮像された画像に基づいて、前記車両の運転者の注視する方向を検出する注視方向検出手段と、
前記車両の車室内の異なる位置に配置され、車室内の一部を照明する複数の照明手段と、
前記注視方向検出手段により検出された運転者の注視する方向に基づいて、前記複数の照明手段を制御する照明制御手段と、
を備えることを特徴とする車室内照明装置。
【請求項２】
前記注視方向検出手段は、前記撮像手段により取得した画像に基づいて、運転者の顔の向き及び視線方向から注視する方向を判別する、ことを特徴とする請求項１に記載の車室内照明装置。
【請求項３】
前記注視方向検出手段は、運転者の顔の左右方向及び上下方向の向き並びに視線の左右方向及び上下方向の向きから運転者の注視している方向を決定するテーブルを備え、該テーブルに基づいて運転者の注視する方向を判別する、ことを特徴とする請求項１に記載の車室内照明装置。
【請求項４】
前記照明制御手段は、複数の照明手段のうち少なくとも１つを選択し点灯する、ことを特徴とする請求項１に記載の車室内照明装置。
【請求項５】
前記複数の照明手段は、照明の照射角度を調整する照明角度調整手段を備え、
前記照明制御手段は、前記照明角度調整手段を制御することにより、指向性のある照明の照射角度を制御する、
ことを特徴とする請求項１に記載の車室内照明装置。
【請求項６】
前記照明制御手段は、
車両が停車中か走行中かを判別する判別手段と、
前記判別手段が停車中と判別したときに、運転者が一定の方向を継続して注視した場合に、注視方向に位置する照明手段を注視している間点灯し、走行中と判別したときに、運転者が一定の方向を継続して注視した場合に、注視方向に位置する照明手段を一定時間点灯した後で消灯する点灯制御手段と、を備える、
ことを特徴とする請求項１に記載の車室内照明装置。
【発明の詳細な説明】
【技術分野】
【０００１】
本発明は、車室内の照明装置に関する。
【背景技術】
【０００２】
車載機器を操作するスイッチとして、直接手を触れることで車載機器の操作を行う操作スイッチが知られている。しかし、この様な操作では操作性が低く、走行中の操作等には適していない。
【０００３】
直接手を触れることなく車載機器の操作を行うことのできる非接触スイッチも知られている。例えば、非接触スイッチを車室の天井部に設け、運転者が天井部付近に手をかざすことにより、車載機器を操作することができるようにしたものがある（例えば、特許文献１参照）。
【特許文献１】特開２００５−２９７６３７号公報
【発明の開示】
【発明が解決しようとする課題】
【０００４】
特許文献１に開示されている車両用操作装置においては、運転者は車載機器を操作する前に、操作する車載機器をあらかじめ選択しておく必要がある。従って、車室内の複数の照明装置のうち、必要なものを、適宜点灯・消灯させることは困難であった。
【０００５】
車室内の全ての照明装置を選択しておくことも考えられるが、全ての照明装置を同時に点灯・消灯することになり、走行中の運転者の視認性が低下する。
【０００６】
本発明は、上記問題に鑑みてなされたものであり、手動のスイッチ操作を行うことなく非接触により、所望の照明手段を制御できるようにすることを目的とする。
【０００７】
また、本発明は、視認性を損なわずに車室内の照明を非接触で簡単に制御できるようにすることを他の目的とする。
【課題を解決するための手段】
【０００８】
上記目的を達成するために、本発明の車室内照明装置は、
車両に設けられ、運転者の顔を含む空間を撮像する撮像手段と、
前記撮像手段により撮像された画像に基づいて、前記車両の運転者の注視する方向を検出する注視方向検出手段と、
前記車両の車室内の異なる位置に配置され、車室内の一部を照明する複数の照明手段と、
前記注視方向検出手段により検出された運転者の注視する方向に基づいて、前記複数の照明手段を制御する照明制御手段と、
を備えることを特徴とする。
【０００９】
前記注視方向検出手段は、前記撮像手段により取得した画像に基づいて、運転者の顔の向き、視線方向などから注視する方向を判別してもよい。
【００１０】
また、前記注視方向検出手段は、運転者の顔の左右方向及び上下方向の向き並びに視線の左右方向及び上下方向の向きから運転者の注視している方向を決定するテーブルが設定されており、該テーブルに基づいて運転者の注視する方向を判別してもよい。
【００１１】
前記照明制御手段は、複数の照明手段のうち少なくとも１つを選択し点灯してもよい。
【００１２】
また、前記複数の照明手段は、照明の照射角度を調整する照明角度調整手段を備え、
前記照明制御手段は、前記照明角度調整手段を制御することにより、指向性のある照明の照射角度を制御してもよい。
【００１３】
前記照明制御手段は、例えば、車両が停車中か走行中かを判別する判別手段と、前記判別手段が停車中と判別したときに、運転者が一定の方向を継続して注視した場合に、注視方向に位置する照明手段を注視している間点灯し、走行中と判別したときに、運転者が一定の方向を継続して注視した場合に、注視方向に位置する照明手段を一定時間点灯した後で消灯する点灯制御手段を備えてもよい。
【発明の効果】
【００１４】
本発明によれば、非接触の簡単な操作で、所望の照明手段を制御できる。
【発明を実施するための最良の形態】
【００１５】
以下、図面に基づき、本発明の実施の形態に係る車室内照明装置について説明する。
【００１６】
図１は、本実施の形態に係る車室内照明装置の全体構成を示すブロック図である。図２は、本実施の形態に係る車室内照明装置を車両に設置した状態を示す模式図である。
【００１７】
本実施の形態に係る車室内照明装置を備える車両１００は、図１に示すように、赤外線カメラ１０と、赤外線照明２０と、車速センサ３０と、照明装置群４０と、制御装置（以下ＥＣＵ（Electric  Control  Unit）と称す）５０と、を備えている。
【００１８】
図２に示すように、赤外線カメラ１０は、ダッシュボード上やステアリングホイールの付近に設置され、運転者６０から発生する赤外線を可視化して撮像する。撮像した画像から注視方向を判別するため、ＥＣＵ５０に接続されている。
【００１９】
赤外線照明２０は、赤外線カメラ１０の近傍に設置され、赤外線を発する装置であって、運転者６０の顔の領域を照らすことで、赤外線光量が不足する夜間でも赤外線カメラ１０による撮像を可能とする。
【００２０】
車速センサ３０は、運転者６０が乗車している車両１００の車速を検出するセンサであって、ＥＣＵ５０に接続されている。
【００２１】
照明装置群４０は、照明装置４０ａと、照明装置４０ｂと、照明装置４０ｃと、照明装置４０ｄと、を備え、各照明装置は車両１００の各部（例えば、運転席側下方、助手席側下方、ダッシュボード、車室内天井部後方）に設置されている。
【００２２】
図２に示すように、照明装置４０ａは運転席側の足下部分を照らすため運転席側下方に設置されている。照明装置４０ｂは助手席側の足下部分を照らすため助手席側下方に設置されている。照明装置４０ｃはダッシュボード近辺を照らすためダッシュボード付近に設置されている。照明装置４０ｄは後部座席上方を照らすため車室内天井部後方に設置されている。
【００２３】
ＥＣＵ５０は、赤外線カメラ１０により取得された顔画像を処理して運転者６０の顔の向き及び視線方向を検出し、検出した顔の向き及び視線方向に基づいて、運転者６０の注視方向を判別し、照明装置群４０から最適な照明装置を選択し点灯させる装置である。
【００２４】
ＥＣＵ５０は、画像メモリ５１と、ＲＯＭ（Read  Only  Memory）５２と、ＲＡＭ（Random  Access  Memory）５３と、ＣＰＵ（Central  Processing  Unit）５４と、を備える。
【００２５】
画像メモリ５１は、赤外線カメラ１０により撮像された画像データを記憶する。
【００２６】
ＲＯＭ５２は、ＣＰＵ５４の動作を制御するためのプログラムを記憶する。また、ＲＯＭ５２は、運転者６０の顔の向き及び視線方向から注視方向を判別する注視方向テーブル、及び車両走行時の照明時間の設定値を記憶する。ここで、設定値は、注視方向判別処理の処理間隔を考慮して設定することができる。
【００２７】
注視方向テーブルは、運転者６０の顔の左右方向及び上下方向の向き並びに視線の左右方向及び上下方向の向きから、運転者６０が注視している方向を判別するための基準データを記憶する。具体的には、注視方向テーブルは、図１０に例示するように、顔の左右方向の向きと、顔の上下方向の向きと、視線の左右方向の向きと、視線の上下方向の向きと、の組み合わせから、運転者６０が注視している方向を特定するためのデータを格納する。このデータは、例えば、実験等により計測したデータ等に基づいて構成される。
【００２８】
なお、注視テーブルにおける、上下方向を示す符号及び角度は、図８（ａ）に示すように、水平を基準として下方向を−（負）、上方向を＋（正）とし、水平線と成す角度を表す。また、左右方向を示す符号及び角度は、図８（ｂ）に示すように、正面方向を基準として右方向を＋（正）、左方向を−（負）とし、正面方向と成す角度を示す。
【００２９】
ＲＡＭ５３は、ＣＰＵ５４のワークエリアとして機能する。また、ＲＡＭ５３には、運転者６０の現在の注視方向を示す注視方向フラグと、前回の注視方向判別時の注視方向を示す前注視方向フラグと、注視方向が前回の注視方向判別時と同じ場合に１カウントアップし、異なる場合にクリアされるカウンタと、が格納されている。
【００３０】
ＣＰＵ５４は、ＲＯＭ５２に格納されているプログラムを実行することにより、赤外線カメラ１０により取得された顔画像を処理して運転者６０の顔の向き及び視線方向を検出し、検出した視線方向及び顔の向きに基づいて、運転者６０の注視方向を判別し、照明装置群４０から最適な照明装置を選択し点灯させる装置である。
【００３１】
次に、上記構成を備える車室内照明装置の動作を説明する。車両１００に電源が投入されると、ＣＰＵ５４は図３のフローチャートに示す処理を実行する。
【００３２】
まず、ＣＰＵ５４は、各変数を初期化するため、変数初期化処理に入る（ステップＳ１）。
【００３３】
変数初期化処理（ステップＳ１）のフローチャートを図４に示す。
【００３４】
変数初期化処理（ステップＳ１）では、ＣＰＵ５４は、まず、運転者６０の現在の注視方向を示す注視方向フラグを「０」にクリアし（ステップＳ１１）、次に、前回の注視方向判別時の注視方向を示す前注視方向フラグを「０」にクリアし（ステップＳ１２）、最後に、注視方向が前回の注視方向判別時と同じ場合にカウントアップし異なる場合にクリアされるカウンタを「０」にクリアする（ステップＳ１３）。
【００３５】
変数初期化処理（ステップＳ１）が終了すると、ＣＰＵ５４は運転者６０を撮像するために、赤外線カメラ１０を起動する（ステップＳ２）。
【００３６】
ステップＳ２で、赤外線カメラ１０を起動すると、ＣＰＵ５４は、運転者６０の注視方向を検出する注視方向検出処理に入る（ステップＳ３）。
【００３７】
注視方向検出処理（ステップＳ３）のフローチャートを図５に示す。
【００３８】
注視方向検出処理（ステップＳ３）では、ＣＰＵ５４は、まず赤外線カメラ１０に運転者６０を撮像させて、撮像した顔画像を画像メモリ５１に記憶する（ステップＳ３１）。
【００３９】
次に、画像メモリ５１に記憶した顔画像から運転者６０の顔の向き及び視線方向を検出する（ステップＳ３２）。
【００４０】
運転者６０の顔の向き及び視線方向を検出する手法は任意であるが、例えば、ＣＰＵ５４は、以下の手法により顔の向きと視線方向を検出する。
【００４１】
まず、顔の向きに関しては、ＣＰＵ５４は、画像メモリ５１に記憶した顔画像をソーベルフィルタ処理し、横エッジ（顔の上下両側端）と縦エッジ（顔の左右両側端）を検出する。
【００４２】
続いて、顔の二値化画像から顔の重心（中心位置）を求める。そして、顔の重心の、縦エッジ及び横エッジに対する位置関係等から運転者６０の上下方向の顔の向きと左右方向の顔の向きを、図８（ａ）と（ｂ）に示すように、頭部の中心を基準とする角度で求める。
【００４３】
次に、視線方向について、図９（ａ）と（ｂ）を用いて説明する。
【００４４】
図９（ａ）は赤外線カメラ１０で撮像した運転者６０の顔を含む１フレーム分の画像を表している。ここで、８０はフレームの枠、８１は顔画像の右領域、８２は顔画像の左領域を表している。
【００４５】
ＣＰＵ５４は、画像メモリ５１に記憶した図９（ａ）に示すような顔画像を二値化し黒点を抽出することにより、顔画像の左領域８２と右領域８１とのそれぞれから眼の候補を１又は複数取得する。
【００４６】
続いて、左領域８２と右領域８１との１又は複数の眼の候補と、それぞれ図９（ｂ）に示すような眼のサンプルとのマッチングをとることにより、左眼像と右眼像とを判別し、これらの黒目部分の位置座標を求める。さらに、求めた黒目部分の位置座標と眼の中心との上下方向及び左右方向のずれの量から、左眼と右眼との上下方向及び左右方向の回転角を求める。
【００４７】
このようにして、顔の向き及び視線方向の検出（ステップＳ３２）が終わると、ＣＰＵ５４は、検出した顔の向き及び視線方向に基づいて、運転者６０の注視方向を判別する（ステップＳ３３）。
【００４８】
具体的には、ＣＰＵ５４は、ステップＳ３２で判別した、顔の左右方向の向き、顔の上下方向の向き、視線の左右方向の向き、及び、視線の上下方向の向きの組み合わせを、ＲＯＭ５２に格納されている図１０に示す注視方向テーブルに適合し、一致する注視方向を選択する。
【００４９】
例えば、左右方向の顔の向きが−３０°、上下方向の顔の向きが＋１０°、左右方向の視線の方向が−３０°、上下方向の視線の方向が−１０°であると検出されたとすると、この組み合わせは、図１０に示す注視方向テーブルの第２列の組み合わせに該当し、注視方向は「助手席足下」であると判別される。
【００５０】
次に、ＣＰＵ５４は、判別した注視方向に基づき、ＲＡＭ５３に設けられた注視方向フラグをセットする、注視方向フラグセット処理に移る（ステップＳ３４）。
【００５１】
注視方向フラグセット処理（ステップＳ３４）では、ＣＰＵ５４は、まず、前回の注視方向判別時の注視方向を前注視方向フラグに保存する（ステップＳ３４０１）。
【００５２】
次に、ＣＰＵ５４は、図５のステップＳ３３で、注視方向が運転席足下の方向であると判別したときには（ステップＳ３４０２；Ｙｅｓ）、運転席足下方向を示す注視方向フラグ「１」をセットする（ステップＳ３４０６）。
【００５３】
また、注視方向が助手席足下の方向であると判別したときには（ステップＳ３４０３；Ｙｅｓ）、助手席足下方向を示す注視方向フラグ「２」をセットする（ステップＳ３４０７）。
【００５４】
さらに、注視方向がダッシュボードの方向であると判別したときには（ステップＳ３４０４；Ｙｅｓ）、ダッシュボード方向を示す注視方向フラグ「３」をセットする（ステップＳ３４０８）。
【００５５】
また、注視方向が後部座席上部の方向であると判別したときには（ステップＳ３４０５；Ｙｅｓ）、助手席足下方向を示す注視方向フラグ「４」をセットする（ステップＳ３４０９）。
さらに、注視方向がその他の方向であると判別したときには（ステップＳ３４０５；Ｎｏ）、その他の方向を示す注視方向フラグ「０」をセットする（ステップＳ３４１０）。
【００５６】
注視方向フラグにフラグをセットする処理（ステップＳ３４０２〜ステップＳ３４１０）が完了すると、ＣＰＵ５４はカウンタの処理を行う（ステップＳ３４１１〜ステップＳ３４１３）。
【００５７】
具体的には、運転者６０の注視方向が前回の注視方向判別時と同じか、即ち、注視方向フラグが前注視方向フラグと一致するかを判別し（ステップＳ３４１１）、一致する場合は（ステップＳ３４１１；Ｙｅｓ）、カウンタをインクリメントし（ステップＳ３４１３）、一致しない場合は（ステップＳ３４１１；Ｎｏ）、カウンタをクリアする（ステップＳ３４１２）。
【００５８】
注視方向フラグセット処理（Ｓ３４）が全て完了すると、処理は、図５に示す注視方向検出処理（ステップ３）も終了し、図７の照明切り替え処理（Ｓ４）に移る。
【００５９】
照明切り替え処理（ステップＳ４）では、ＣＰＵ５４は、まず、車速センサ３０から車速データを読み込む（ステップＳ４０１）。
【００６０】
次に、ＣＰＵ５４は、読み込んだ車速データから、車両１００が走行中か停止中かを判別する（ステップＳ４０２）。
【００６１】
ステップＳ４０２の判別の結果、走行中と判別すると（ステップＳ４０２；Ｎｏ）、カウンタの値が設定値未満か、即ち、運転者６０の注視方向が一定時間以上変化していないかを判別する（ステップＳ４０３）。
【００６２】
ステップＳ４０３の判別の結果、カウンタの値が設定値以上であると判別すると（ステップＳ４０３；Ｎｏ）、照明装置群４０の全ての照明装置を消灯する（ステップＳ４１２）。
【００６３】
一方、ステップＳ４０３の判別の結果、カウンタの値が設定値未満であると判別すると（ステップＳ４０３；Ｙｅｓ）、注視方向フラグが「１」であるか、即ち注視方向が運転席足下の方向であるか否か、を判別する（ステップＳ４０４）。
【００６４】
ステップＳ４０４の判別の結果、注視方向フラグが「１」であると判別すると（ステップＳ４０４；Ｙｅｓ）、注視方向である運転席足下の方向にある照明装置４０ａを点灯し、他の照明装置を消灯する（ステップＳ４０８）。
【００６５】
また、注視方向フラグが「２」であると判別すると（ステップＳ４０５；Ｙｅｓ）、注視方向である助手席足下の方向にある照明装置４０ｂを点灯し、他の照明装置を消灯する（ステップＳ４０９）。
【００６６】
さらに、注視方向フラグが「３」であると判別すると（ステップＳ４０６；Ｙｅｓ）、注視方向であるダッシュボードの方向にある照明装置４０ｃを点灯し、他の照明装置を消灯する（ステップＳ４１０）。
【００６７】
また、注視方向フラグが「４」であると判別すると（ステップＳ４０７；Ｙｅｓ）、注視方向である後部座席上部の方向にある照明装置４０ｄを点灯し、他の照明装置を消灯する（ステップＳ４１１）。
【００６８】
さらに、注視方向フラグが「１」から「４」のいずれにも該当しないと判別すると（ステップＳ４０７；Ｎｏ）、注視方向には点灯する照明装置がないため、全ての照明装置を消灯する（ステップＳ４１２）。
【００６９】
照明切り替え処理（ステップＳ４）が完了すると、注視方向検出処理（ステップＳ３）に処理を戻す。
【００７０】
ステップＳ３及びステップＳ４の処理を繰り返すことで、ＣＰＵ５４は、運転者６０の意図する方向すなわち運転者６０の注視する方向のみを点灯することができる。
【００７１】
次に、図１０に示す注視方向テーブルと、図１１に示す注視方向を示す時系列データと、を用いて上記構成を備える照明制御装置の動作の具体例を説明する。
【００７２】
図１１は、車両停止状態において後部座席上部を確認した後、車両を発進させ、その後、運転中にダッシュボード部を注視し続けた場合の時系列データである。
【００７３】
時刻０〜ｔ１では、顔の向きの左右が０°、上下が０°、視線方向の左右が０°、上下が０°、であり、ＣＰＵ５４は運転者６０の注視方向を注視方向テーブルから見つけることができないため、いずれの照明装置も点灯しない（ステップＳ４１２）。
【００７４】
時刻ｔ１〜ｔ２では、顔の向きの上下を０°、視線方向の上下を０°、に保持しながら、顔の向きの左右を０°から−６０°、視線方向の左右を０°から−６０°、に変化させているが、この間は、ＣＰＵ５４は運転者６０の注視方向を注視方向テーブルから見つけることができないため、いずれの照明装置も点灯しない（ステップＳ４１２）。
【００７５】
時刻ｔ２〜ｔ３では、顔の向きの左右を−６０°、上下を０°、視線方向の左右を−６０°、上下を０°、に保持しているため、この間は、ＣＰＵ５４は運転者６０の注視方向を注視方向テーブルから見つけることができないため、いずれの照明装置も点灯しない（ステップＳ４１２）。
【００７６】
時刻ｔ３〜ｔ５では、顔の向きの左右を−６０°、視線方向の左右を−６０°、に保持しながら、顔の向きの上下を０°から＋２０°、視線方向の上下を０°から−２０°、に変化させている。
【００７７】
この場合、時刻ｔ４において、顔の向きの左右が−６０°、上下が＋１５°、視線方向の左右が−６０°、上下が−１５°、となった時点で、ＣＰＵ５４は注視方向テーブルから、後部座席上部を注視方向として判別し、後部座席上部の照明装置４０ｄを点灯し、他の照明装置を消灯する（ステップＳ４１１）。
【００７８】
時刻ｔ５〜ｔ６では、顔の向きの左右を−６０°、上下を＋１５°、視線方向の左右を−６０°、上下を−１５°、に保持しているため、ＣＰＵ５４は注視方向テーブルから、後部座席上部を注視方向として判別し、後部座席上部の照明装置４０ｄを点灯し、他の照明装置を消灯し続ける（ステップＳ４１１）。
【００７９】
時刻ｔ６〜ｔ９では、顔の向きの上下を＋２０°、視線方向の上下を−２０°、に保持しながら、顔の向きの左右を−６０°から０°、視線方向の左右を−６０°から０°、に変化させている。
【００８０】
この場合、時刻ｔ７において、顔の向きの左右が−４５°、上下が＋２０°、視線方向の左右が−４５°、上下が−２０°、となった時点で、ＣＰＵ５４は注視方向テーブルから、ダッシュボード部を注視方向として判別し、ダッシュボード部の照明装置４０ｃを点灯し、他の照明装置を消灯する（ステップＳ４１０）。
【００８１】
また、時刻ｔ８において、顔の向きの左右が−５°、上下が＋２０°、視線方向の左右が−５°、上下が−２０°、となった時点で、ＣＰＵ５４は運転者６０の注視方向を注視方向テーブルから見つけることができなくなるため、全ての照明装置を消灯する（ステップＳ４１２）。
【００８２】
時刻９〜ｔ１０のいずれかの時刻に、顔の向きの左右を０°、上下を＋２０°、視線方向の左右を０°、上下を−２０°、に保持したまま、運転者６０は停止中の車両を発進させると、以後、ＣＰＵ５４は車速センサ３０から走行中のデータを受信する（ステップＳ４０２；Ｎｏ）。
【００８３】
また、この間は、ＣＰＵ５４は運転者６０の注視方向を注視方向テーブルから見つけることができないため、いずれの照明装置も点灯しない（ステップＳ４１２）。
【００８４】
時刻ｔ１０〜ｔ１２では、顔の向きの上下を＋２０°、視線方向の上下を−２０°、に保持しながら、顔の向きの左右を０°から−３０°、視線方向の左右を０°から−３０°、に変化させている。
【００８５】
この場合、時刻ｔ１１において、顔の向きの左右が−５°、上下が＋２０°、視線方向の左右が−５°、上下が−２０°、となった時点で、ＣＰＵ５４は注視方向テーブルから、ダッシュボード部を注視方向として判別し、ダッシュボード部の照明装置４０ｃを点灯し、他の照明装置を消灯する（ステップＳ４１０）。
【００８６】
時刻ｔ１２以降は、顔の向きの左右を−３０°、上下を＋２０°、視線方向の左右を−３０°、上下を−２０°、に保持しているため、ＣＰＵ５４は注視方向テーブルから、ダッシュボード部を注視方向として判別し、ダッシュボード部の照明装置４０ｃを点灯し、他の照明装置を消灯し続ける（ステップＳ４１０）。
【００８７】
しかしながら、設定された照明時間が、時刻ｔ１１から経過した時刻ｔ１３になると、カウンタの値が設定値を超えるため（ステップＳ４０３；Ｎｏ）、ＣＰＵ５４は注視方向にかかわらず、全ての照明装置を消灯する（ステップＳ４１２）。
【００８８】
以上説明したように、この実施の形態の照明装置によれば、視線の向きを変えるだけで、非接触で任意の照明装置を点灯することができる。しかも、停車中の場合と、走行中の場合とで、それぞれ適切な制御を行うので、操作性も高い。
【００８９】
上記実施の形態においては、運転者の視線の方向に位置する照明装置を点灯したが、視線の方向に応じて行う制御の内容は点灯・消灯の制御に限定されない。例えば、指向性を有する照明装置について、運転者の視線の方向に併せて照明の向きを変えて１つ以上の照明装置を点灯させることにより視線方向を照明するようにしてもよい。
【００９０】
このような構成の照明装置の実施の形態について、図１２と図１３を参照して説明する。
【００９１】
以下、図１に示す照明装置４０ｃが、図１３に示すように、車両のダッシュボード部分に配置され、且つ、ステッピングモータ７０により、運転者側３Ａ、真上３Ｂ，助手席側３Ｃの任意の方向に切り換え可能な構成であるとする。
【００９２】
電源がオンされると、ＣＰＵ５４は、前述の図３の処理を開始する。
その後、顔の向き及び視線方向の検出（ステップＳ３２）までの処理については前述の通りである。
【００９３】
次に、検出した顔の向き及び視線方向に基づいて、運転者６０の注視方向を判別する（ステップＳ３３）。ここで、視線方向がダッシュボードである場合は、さらに、図１２に示すように、注視方向に応じて、３種のフラグ（３Ａ〜３Ｃ）の何れかをセットする（ステップＳ３４）。
【００９４】
すなわち、顔の向きの左右が−１５°から０°、上下が＋１５°以上、視線方向の左右が−１５°から−５°、上下が−１５°以下、の場合は、注視方向はダッシュボードの運転席側であるとして、注視方向フラグに「３Ａ」をセットする。
【００９５】
また、顔の向きの左右が−２５°から−１５°、上下が＋１５°以上、視線方向の左右が−２５°から−１５°、上下が−１５°以下、の場合は、注視方向はダッシュボードの中央部であるとして、注視方向フラグに「３Ｂ」をセットする。
【００９６】
さらに、顔の向きの左右が−４５°から−２５°、上下が＋１５°以上、視線方向の左右が−４５°から−２５°、上下が−１５°以下、の場合は、注視方向はダッシュボードの助手席側であるとして、注視方向フラグに「３Ｃ」をセットする。
【００９７】
次に、ＣＰＵ５４は、照明切り替え処理（ステップＳ４）を実行する。
【００９８】
ここで、注視方向フラグが「３Ａ」、「３Ｂ」、「３Ｃ」のいずれかであると判別すると、注視方向であるダッシュボードの照明装置４０ｃを点灯し、角度（向き）調整用に設けられたステッピングモータ７０を制御することにより、運転者６０が特に注視していた方向に照明装置４０ｃを傾ける。すなわち、注視方向フラグが「３Ａ」のときは運転席側、「３Ｂ」のときは真上、「３Ｃ」のときは助手席側が照射方向となるようにする。
【００９９】
このような構成によれば、指向性を有する照明を、運転者の好みの向きに向かせることが、非接触で且つ簡単な操作で行うことができる。
【０１００】
なお、この発明は上記実施例に限定されず、種々の変形及び応用が可能である。
【０１０１】
注視方向の判別は、積分機能により、ある所定時間（例えば１秒）注視を続けたことにより判別してもよい。あるいは、ある所定時間（例えば３秒）の間に運転者６０が注視した頻度を計測して、頻度が所定回数（例えば２回）を超えた方向を注視方向として判別するようにしてもよい。
【０１０２】
図１、図２を参照して説明したシステム構成も一例であり、任意に変更可能である。例えば、上記実施の形態では車室内に設置されている照明装置は４つであったが、必要に応じて数を増減し、設置場所を変更してもよい。
【０１０３】
また、上記実施の形態では、照射角度調整可能な照明装置として照明装置４０ｃを想定しているが、他の照明装置であってもよい。さらに、角度調整は３段階に限定されず、連続的に調整できるようにしてもよい。
【０１０４】
また、角度調整に用いる駆動手段はステッピングモータに限定されず、サーボモータ等、他のアクチュエータであってもよい。
【図面の簡単な説明】
【０１０５】
【図１】本発明の実施の形態に係る車室内照明装置の全体構成を示すブロック図である。
【図２】本発明の実施の形態に係る車室内照明装置を車両に設置した状態を示す模式図である。
【図３】図１に示す車室内照明装置の照明制御処理を説明するためのフローチャートである。
【図４】図３のフローチャートにおける変数初期化処理を説明するためのフローチャートである。
【図５】図３のフローチャートにおける注視方向検出処理を説明するためのフローチャートである。
【図６】図５のフローチャートにおける注視方向フラグセット処理を説明するためのフローチャートである。
【図７】図３のフローチャートにおける照明切り替え処理を説明するためのフローチャートである。
【図８】顔の向きの符号を説明するための図である。
【図９】視線方向の検出方法を説明するための図である。
【図１０】注視方向テーブルの具体例を示す図である。
【図１１】注視方向の時系列データの具体例を示す図である。
【図１２】照明装置の角度調整を行う際の、注視方向テーブルの一部の具体例を示す図である。
【図１３】照明装置の角度調整方法を説明するための図である。
【符号の説明】
【０１０６】
１０    赤外線カメラ  （撮像手段）
２０    赤外線照明    （撮像手段）
３０    車速センサ
４０    照明装置群    （照明手段）
５０    ＥＣＵ        （注視方向検出手段、照明制御手段）
６０    運転者
７０    ステッピングモータ
１００  車両
【図１】
2008081053.tif 000003
【図２】
2008081053.tif 000004
【図３】
2008081053.tif 000005
【図４】
2008081053.tif 000006
【図５】
2008081053.tif 000007
【図６】
2008081053.tif 000008
【図７】
2008081053.tif 000009
【図８】
2008081053.tif 000010
【図９】
2008081053.tif 000011
【図１０】
2008081053.tif 000012
【図１１】
2008081053.tif 000013
【図１２】
2008081053.tif 000014
【図１３】
2008081053.tif 000015